(57)【要約】      （修正有）【課題】室内空気浄化処理装置を提供する。【解決手段】箱体１、調節ユニット２および破砕輪７を含む室内空気浄化処理装置であって、前記箱体の一側部に調節ユニットが固定されており、前記調節ユニットの側部に支持座４が固定されており、前記支持座の上端に吸気ラッパ３が取付けられており、前記箱体の下端側部に誘導送風機６が固定されており、前記吸気ラッパの下端における誘導送風機との間にチューブ５が接続されており、前記箱体の他側部における上端に空心出気筒１２が固定されており、前記箱体の内部上端における空心出気筒寄りの進口位置に活性炭乾燥層１３が設けられており、前記活性炭乾燥層の下端にＶ型濾過網１１が設けられており、前記箱体の内部下端に蓄液箱８が設けられており、前記蓄液箱の上端中間に出気口１０が設けられており、前記出気口の下端に破砕輪が設けられており、前記箱体の側部における蓄液箱と対応する位置に進水管９が設けられている。【選択図】図１
0003224509.tif 000002
【実用新案登録請求の範囲】
【請求項１】
箱体（１）、調節ユニット（２）および破砕輪（７）を含む室内空気浄化処理装置であ
って、前記箱体（１）の一側部に調節ユニット（２）が固定されており、前記調節ユニッ
ト（２）の側部に支持座（４）が固定されており、前記支持座（４）の上端に吸気ラッパ
（３）が取付けられており、前記箱体（１）の下端側部に誘導送風機（６）が固定されて
おり、前記吸気ラッパ（３）の下端における誘導送風機（６）との間にチューブ（５）が
接続されており、前記箱体（１）の他側部における上端に空心出気筒（１２）が固定され
ており、前記箱体（１）の内部上端における空心出気筒（１２）寄りの進口位置に活性炭
乾燥層（１３）が設けられており、前記活性炭乾燥層（１３）の下端にＶ型濾過網（１１
）が設けられており、前記箱体（１）の内部下端に蓄液箱（８）が設けられており、前記
蓄液箱（８）の上端中間に出気口（１０）が設けられており、前記出気口（１０）の下端
に破砕輪（７）が設けられており、前記箱体（１）の側部における蓄液箱（８）と対応す
る位置に進水管（９）が設けられていることを特徴とする室内空気浄化処理装置。
【請求項２】
前記調節ユニット（２）は調節取手（２１）、リードスクリュー（２２）、止め滑り棒
（２３）、止め滑り座（２４）、固定ホルダー（２５）および摺動座（２６）を含み、２
個の前記固定ホルダー（２５）の内側部間にリードスクリュー（２２）が固定され、前記
固定ホルダー（２５）の外側に摺動座（２６）が固定され、２個の前記摺動座（２６）の
間に止め滑り棒（２３）が接続され、前記リードスクリュー（２２）の上端に調節取手（
２１）が固定され、前記リードスクリュー（２２）の表面に固定される支持座（４）の側
部に止め滑り座（２４）が設けられていることを特徴とする請求項１に記載の室内空気浄
化処理装置。
【請求項３】
前記破砕輪（７）と出気口（１０）の間は回動軸を介して回転可能に接続されており、
前記破砕輪（７）の表面に破砕板が設けられていることを特徴とする請求項１に記載の室
内空気浄化処理装置。
【請求項４】
前記支持座（４）とリードスクリュー（２２）の間はネジによって回転可能に接続され
ており、前記リードスクリュー（２２）の各上下端と固定ホルダー（２５）との間はそれ
ぞれ軸受を介して回転可能に接続されていることを特徴とする請求項２に記載の室内空気
浄化処理装置。
【請求項５】
前記摺動座（２６）に接続される止め滑り棒（２３）は固定ホルダー（２５）に沿って
水平方向に摺動可能に接続されており、前記摺動座（２６）の上端に締合ボルトが固定さ
れていることを特徴とする請求項２に記載の室内空気浄化処理装置。
【請求項６】
前記止め滑り座（２４）の側部に止め滑り棒（２３）の寸法に合致するＵ型溝が設けら
れていることを特徴とする請求項２に記載の室内空気浄化処理装置。
【考案の詳細な説明】
【技術の分野】
【０００１】
本実用新案は空気浄化装置の技術分野に関し、具体的に室内空気浄化処理装置に関する
。
【従来の技術】
【０００２】
空気浄化とは、室内の各種環境問題に対して殺菌消毒や、埃やスモッグ除去、有害な内
装残存及び異臭除去などを含むトータルな解決案を提供して、生活、事務条件を改善し、
心身の健康を増進することを意味する。室内の環境汚染物質と汚染源は主に放射性ガス、
カビ、粒状物質、内装残留、副流煙などを含みむ。
【０００３】
室内空気中の固体汚染物、気体汚染物などに対して一定の除去能力を持つ電気器具であ
って、２種類以上の空気汚染物を除去できる空気浄化器を多機能室空気浄化器と呼ぶ。汚
染物とは、主に室内空気中における細菌、ウィルス、固体汚染物（粉塵、花粉、菌粒子な
ど）、気体汚染物（異臭、ホルムアルデヒドなどの装飾汚染など）を意味する。欧米諸国
は比較的に空気浄化器の殺菌消毒機能に関心を持っているが、中国は近年、スモッグ汚染
状況がひどくなるので粒状物の除去（塵の減量）がもっと注目されている。
【０００４】
従来の技術において以下のような課題がある。
よく使われる室内空気浄化手段として、空気を清潔吸着液中に通させて、吸着により浄
化された後放出される。従来における室内空気浄化処理装置は、使用時に吸気ラッパの高
度および角度の調節が不便であるという課題が存在する。また気体と清潔吸着液の接触は
不充分で、吸着の効果がよくないという課題も存在し、装置の実際な浄化効果はさらに向
上する必要がある。
【考案の概要】
【０００５】
上記従来の技術に提出した課題を解決するために、本実用新案は以下の技術を提出して
いる。すなわち、室内空気浄化処理装置は、構成が簡単で、調節が便利で、吸着効果がよ
いという特徴を有する。
【０００６】
上記の目的を達成するために、本実用新案は以下の技術を提出している。すなわち、箱
体、調節ユニットおよび破砕輪を含む室内空気浄化処理装置であって、前記箱体の一側部
に調節ユニットが固定されており、前記調節ユニットの側部に支持座が固定されており、
前記支持座の上端に吸気ラッパが取付けられており、前記箱体の下端側部に誘導送風機が
固定されており、前記吸気ラッパの下端における誘導送風機との間にチューブが接続され
ており、前記箱体の他側部における上端に空心出気筒が固定されており、前記箱体の内部
上端における空心出気筒寄りの進口位置に活性炭乾燥層が設けられており、前記活性炭乾
燥層の下端にＶ型濾過網が設けられており、前記箱体の内部下端に蓄液箱が設けられてお
り、前記蓄液箱の上端中間に出気口が設けられており、前記出気口の下端に破砕輪が設け
られており、前記箱体の側部における蓄液箱と対応する位置に進水管が設けられている前
記室内空気浄化処理装置を提供している。
【０００７】
好ましくは、前記調節ユニットは調節取手、リードスクリュー、止め滑り棒、止め滑り
座、固定ホルダーおよび摺動座を含み、２個の前記固定ホルダーの内側部間にリードスク
リューが固定され、前記固定ホルダーの外側に摺動座が固定され、２個の前記摺動座の間
に止め滑り棒が接続され、前記リードスクリューの上端に調節取手が固定され、前記リー
ドスクリューの表面に固定される支持座の側部に止め滑り座が設けられている。
【０００８】
好ましくは、前記破砕輪と出気口の間は回動軸を介して回転可能に接続されており、前
記破砕輪の表面に破砕板が設けられている。
【０００９】
好ましくは、前記支持座とリードスクリューの間はネジによって回転可能に接続されて
おり、前記リードスクリューの各上下端と固定ホルダーとの間はそれぞれ軸受を介して回
転可能に接続されている。
【００１０】
好ましくは、前記摺動座に接続される止め滑り棒は固定ホルダーに沿って水平方向に摺
動可能に接続されており、前記摺動座の上端に締合ボルトが固定されている。
【００１１】
好ましくは、前記止め滑り座の側部に止め滑り棒の寸法に合致するＵ型溝が設けられて
いる。
【００１２】
従来の技術と比べて、本実用新案の有益な効果は以下の通りである。
１）本実用新案において調節ユニットを設け、調節取手を回転させてリードスクリュー
を回転させる。この時に止め滑り座が止め滑り棒に係止する。これにより支持座がリード
スクリューに沿って移動し、吸気ラッパの高度調節を実現する。移動摺動座により止め滑
り棒を止め滑り座から脱離させ、リードスクリューを回転させて支持座を回転させ、ひい
ては吸気ラッパを回転させることにより、高度および角度の調節を実現でき、使用が便利
である。
【００１３】
２）本実用新案において蓄液箱に破砕輪を設け、気体に気泡が発生し出気口から上昇す
る。気体によって破砕輪を回転させ、回転する破砕輪によって気泡を破砕することにより
、気体の接触面積を向上し、有効な吸着処理を行う。  
【図面の簡単な説明】
【００１４】
【図１】本実用新案の構成模式図。
【図２】本実用新案にかかる調節ユニットの構成模式図。
【図３】本実用新案にかかる止め滑り座の上面構成模式図。
【考案を実施するための形態】
【００１５】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解できない。本実用新案の実施例に基づいて
、本分野の当業者によって創造的な労働を費やさず得られる全ての実施例は、本実用新案
に保護を求める範囲に含まれる。
【００１６】
図１〜３に示すように、本実用新案は以下の技術案を提供する。箱体１、調節ユニット
２および破砕輪７を含む室内空気浄化処理装置であって、箱体１の一側部に調節ユニット
２が固定されており、調節ユニット２の側部に支持座４が固定されており、支持座４の上
端に吸気ラッパ３が取付けられており、箱体１の下端側部に誘導送風機６が固定されてお
り、吸気ラッパ３の下端における誘導送風機６との間にチューブ５が接続されており、箱
体１の他側部における上端に空心出気筒１２が固定されており、箱体１の内部上端におけ
る空心出気筒１２寄りの進口位置に活性炭乾燥層１３が設けられており、活性炭乾燥層１
３の下端にＶ型濾過網１１が設けられており、箱体１の内部下端に蓄液箱８が設けられて
おり、蓄液箱８の上端中間に出気口１０が設けられており、出気口１０の下端に破砕輪７
が設けられることにより、気泡を容易に破砕させる。破砕輪７と出気口１０の間は回動軸
を介して回転可能に接続されており、破砕輪７の表面に破砕板が設けられている。箱体１
の側部における蓄液箱８と対応する位置に進水管９が設けられている。
【００１７】
調節ユニット２は調節取手２１、リードスクリュー２２、止め滑り棒２３、止め滑り座
２４、固定ホルダー２５および摺動座２６を含み、２個の固定ホルダー２５の内側部間に
リードスクリュー２２が固定されることにより、回転を容易にさせる。支持座４とリード
スクリュー２２の間はネジによって回転可能に接続されており、リードスクリュー２２の
各上下端と固定ホルダー２５との間はそれぞれ軸受を介して回転可能に接続されている。
固定ホルダー２５の外側に摺動座２６が固定され、２個の摺動座２６の間に止め滑り棒２
３が接続されることにより、滑り式調節することができる。摺動座２６に接続される止め
滑り棒２３は固定ホルダー２５に沿って水平方向に摺動可能に接続されており、摺動座２
６の上端に締合ボルトが固定されている。リードスクリュー２２の上端に調節取手２１が
固定され、リードスクリュー２２の表面に固定される支持座４の側部に止め滑り座２４が
設けられることにより、位置限定的摺動をすることができる。止め滑り座２４の側部に止
め滑り棒２３の寸法に合致するＵ型溝が設けられている。
【００１８】
本実用新案の動作原理及び使用手順は以下の如くである。本実用新案において、使用際
には、装置を適合位置まで移動させ、進水管９を介して蓄液箱８の中に相応する清潔吸着
液を添加して、誘導送風機６を動作させ、チューブ５を介して吸気ラッパ３を空気吸着を
執行させるよう駆動する。そして、空気を蓄液箱８中に送り入れ、蓄液箱８における吸着
液により吸着され濾過される。そして、気体から気泡が発生し出気口１０から上昇する。
気体によって破砕輪７を回転させ、回転する破砕輪７によって気泡を破砕することにより
、気体の接触面積を向上し、有効な吸着処理を行う。それから気体がＶ型濾過網１１と活
性炭乾燥層１３を通して二次吸着および濾過が行われ、有効的に濾過質量を向上し、濾過
気体が空心出気筒１２から放出される。調節取手２１を回転させてリードスクリュー２２
を回転させる。この時に、止め滑り座２４が止め滑り棒２３に係止する。これにより、支
持座４がリードスクリュー２２に沿って移動し、吸気ラッパ３の高度調節を実現する。移
動摺動座２６により止め滑り棒２３を止め滑り座２４から脱離させ、リードスクリュー２
２を回転させて支持座４を回転させ、ひいては吸気ラッパ３を回転させることにより、高
度および角度の調節を実現でき、使用が便利である。
【００１９】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００２０】
１  箱体
２  調節ユニット
２１  調節取手
２２ リードスクリュー
２３  止め滑り棒
２４  止め滑り座
２５  固定ホルダー
２６  摺動座
３  吸気ラッパ
４  支持座
５  チューブ
６  誘導送風機
７  破砕輪
８  蓄液箱
９  進水管
１０  出気口
１１  Ｖ型濾過網
１２  空心出気筒
１３  活性炭乾燥層
【図１】
0003224509.tif 000003
【図２】
0003224509.tif 000004
【図３】
0003224509.tif 000005
【手続補正書】
【提出日】令和1年10月25日(2019.10.25)
【手続補正１】
【補正対象書類名】実用新案登録請求の範囲
【補正対象項目名】全文
【補正方法】変更
【補正の内容】
【実用新案登録請求の範囲】
【請求項１】
箱体（１）、調節ユニット（２）および破砕輪（７）を含む室内空気浄化処理装置であ
って、前記箱体（１）の一側部に調節ユニット（２）が固定されており、前記調節ユニッ
ト（２）の側部に支持座（４）が固定されており、前記支持座（４）の上端に吸気ラッパ
（３）が取付けられており、前記箱体（１）の下端側部に誘導送風機（６）が固定されて
おり、前記吸気ラッパ（３）の下端における誘導送風機（６）との間にチューブ（５）が
接続されており、前記箱体（１）の他側部における上端に空心出気筒（１２）が固定され
ており、前記箱体（１）の内部上端における空心出気筒（１２）寄りの進口位置に活性炭
乾燥層（１３）が設けられており、前記活性炭乾燥層（１３）の下端にＶ型濾過網（１１
）が設けられており、前記箱体（１）の内部下端に蓄液箱（８）が設けられており、前記
蓄液箱（８）の上端中間に出気口（１０）が設けられており、前記出気口（１０）の下端
に破砕輪（７）が設けられており、前記箱体（１）の側部における蓄液箱（８）と対応す
る位置に進水管（９）が設けられていることを特徴とする室内空気浄化処理装置。
【請求項２】
前記調節ユニット（２）は調節取手（２１）、リードスクリュー（２２）、止め滑り棒
（２３）、止め滑り座（２４）、固定ホルダー（２５）および摺動座（２６）を含み、２
個の前記固定ホルダー（２５）の内側部間にリードスクリュー（２２）が固定され、前記
固定ホルダー（２５）の外側に摺動座（２６）が固定され、２個の前記摺動座（２６）の
間に止め滑り棒（２３）が接続され、前記リードスクリュー（２２）の上端に調節取手（
２１）が固定され、前記リードスクリュー（２２）の表面に固定される支持座（４）の側
部に止め滑り座（２４）が設けられていることを特徴とする請求項１に記載の室内空気浄
化処理装置。
【請求項３】
前記破砕輪（７）と出気口（１０）の間は回動軸を介して回転可能に接続されており、
前記破砕輪（７）の表面に破砕板が設けられていることを特徴とする請求項１に記載の室
内空気浄化処理装置。
【請求項４】
前記支持座（４）とリードスクリュー（２２）の間はネジによって回転可能に接続され
ており、前記リードスクリュー（２２）の各上下端と固定ホルダー（２５）との間はそれ
ぞれ軸受を介して回転可能に接続されていることを特徴とする請求項２に記載の室内空気
浄化処理装置。
【請求項５】
前記止め滑り座（２４）の側部に止め滑り棒（２３）の寸法に合致するＵ型溝が設けら
れていることを特徴とする請求項２に記載の室内空気浄化処理装置。